(57)【要約】【課題】通常のスイッチによる電源ＯＦＦのときは動作を停止し、停電などの非常事態による入力電力の喪失のときは動作を継続する電子機器を提供する。【解決手段】判定回路７は、外部電源２０から供給される電力の喪失と、当該外部電源２０とＬＥＤ照明装置３との間に設けられた手動切替スイッチ２による当該電力の供給の遮断とを電圧変化の推移の違いに基づいて判定する。外部電源２０から供給される電力の喪失が発生すると、判定回路７は、２次電池１１からＬＥＤ部３０に電力を供給するようにＦＥＴ１２を制御する。一方、手動切替スイッチ２による電力の供給の遮断が発生すると、判定回路７は、２次電池１１からＬＥＤ部３０に電力を供給しないようにＦＥＴ１２を制御する。【選択図】図３
2013125709.tif 000002
【特許請求の範囲】
【請求項１】
電子機器であって、
外部電源から供給される電力の喪失と、当該外部電源と前記電子機器との間に設けられたスイッチによる当該電力の供給の遮断とを電圧変化の推移の違いに基づいて判定する判定手段と、
前記外部電源の代わりに前記電子機器に電力を供給する代替電源と、
前記判定手段が前記外部電源から供給される電力の喪失が発生したと判定すると、前記代替電源から前記電子機器に電力を供給するように動作し、前記判定手段が前記スイッチによる前記電力の供給の遮断が発生したと判定すると、前記代替電源から前記電子機器に電力を供給しないように動作するスイッチ素子と
を備えたことを特徴とする電子機器。
【請求項２】
前記外部電源から供給された交流電圧を直流電圧に変換する整流回路を備え、
前記判定手段は、
前記電力の供給が遮断した時、前記整流回路の整流後の電圧が維持される時間よりも、前記スイッチが短絡状態で外部電源から供給される電力の喪失が発生した時の前記整流回路の交流側にある充放電回路の放電時間が長くなる現象を利用して、前記外部電源から供給される電力の喪失が発生したのか、それとも前記スイッチによる前記電力の供給の遮断が発生したのかを判定することを特徴とする請求項１に記載の電子機器。
【請求項３】
前記判定手段は、
前記整流回路の交流側に設けられた第１のコンデンサと、
前記整流回路の平滑側に設けられた第２のコンデンサと
を備え、
前記第１のコンデンサの容量と前記第２のコンデンサの容量は、
前記スイッチが短絡した状態で、外部電源から供給される電力の喪失が発生したときの前記第１のコンデンサの放電時間が、前記第２のコンデンサの放電時間より長くなるように、設定された容量であることを特徴とする請求項２に記載の電子機器。
【請求項４】
前記代替電源は、前記外部電源によって充電される２次電池であることを特徴とする請求項１ないし３のいずれか１項に記載の電子機器。
【請求項５】
前記電子機器は、照明装置であることを特徴とする請求項１ないし４のいずれか１項に記載の電子機器。
【請求項６】
前記代替電源から前記電子機器に電力を供給するときは、前記外部電源から前記電子機器に電力を供給するときと比較して、消費電力が小さくなるように、前記電子機器の消費電力を低下させる消費電力調整手段をさらに備えることを特徴とする請求項１ないし５のいずれか１項に記載の電子機器。
【請求項７】
電子機器への電力の供給を制御する制御装置であって、
外部電源から供給される電力の喪失と、当該外部電源と前記電子機器との間に設けられたスイッチによる当該電力の供給の遮断とを電圧変化の推移の違いに基づいて判定する判定手段と、
前記外部電源の代わりに前記電子機器に電力を供給する代替電源と、
前記判定手段が前記外部電源から供給される電力の喪失が発生したと判定すると、前記代替電源から前記電子機器に電力を供給するように動作し、前記判定手段が前記スイッチによる前記電力の供給の遮断が発生したと判定すると、前記代替電源から前記電子機器に電力を供給しないように動作するスイッチ素子と
を備えたことを特徴とする制御装置。
【発明の詳細な説明】
【技術分野】
【０００１】
本発明は、電子機器と、当該電子機器に供給される電力を制御する制御装置に関する。
【背景技術】
【０００２】
近年において、白熱電球や蛍光管の代わりに、消費電力が少なく寿命の長いＬＥＤランプが普及している。特許文献１には、白熱電球を取り付けるソケットに取り付け可能な口金部を備えたＬＥＤランプが提案されている。特許文献２には、バッテリが搭載され、停電時などにバッテリによりＬＥＤを発光させる非常用点灯装置が提案されている。さらに、特許文献３には、常時には商用交流電源から供給された電力により点灯する照明用ランプとして機能し、非常時にはバッテリにより点灯する非常灯として機能するＬＥＤランプが提案されている。
【先行技術文献】
【特許文献】
【０００３】
【特許文献１】特開２００５−２２２７５０号公報
【特許文献２】特開平０９−２６００７０号公報
【特許文献３】特開２０１０−７３３３４号公報
【発明の概要】
【発明が解決しようとする課題】
【０００４】
しかし、特許文献３に記載の発明は、スイッチによる交流電源の遮断と、停電などの非常事態による入力電力の喪失を判別することができない。そのため、スイッチにより交流電源が遮断されたときも非常用電源から電力が供給されてしまい、ＬＥＤランプを消灯することができない。このように不必要にＬＥＤランプを点灯させてしまうと、非常用電源の電力を浪費してしまう。ＬＥＤランプを手動で消灯するスイッチを追加することも考えられる。しかし、この場合は、ユーザによる操作が不可欠となり、ユーザに手間を取らせてしまう。
【０００５】
そこで、本発明は、通常のスイッチによる電源遮断のときは動作を停止し、停電などの非常事態による入力電力の喪失のときは動作を継続する電子機器を提供することを目的とする。
【課題を解決するための手段】
【０００６】
本発明は、
電子機器であって、
外部電源から供給される電力の喪失と、当該外部電源と前記電子機器との間に設けられたスイッチによる当該電力の供給の遮断とを電圧変化の推移の違いに基づいて判定する判定手段と、
前記外部電源の代わりに前記電子機器に電力を供給する代替電源と、
前記判定手段が前記外部電源から供給される電力の喪失が発生したと判定すると、前記代替電源から前記電子機器に電力を供給するように動作し、前記判定手段が前記スイッチによる前記電力の供給の遮断が発生したと判定すると、前記代替電源から前記電子機器に電力を供給しないように動作するスイッチ素子と
を備えたことを特徴とする電子機器を提供する。
【発明の効果】
【０００７】
本発明によれば、外部電源から供給される電力の喪失が発生したときの電圧変化の推移と、スイッチによる電力の供給の遮断が発生したときの電圧変化の推移が異なることに着目し、停電による電力の途絶なのか、スイッチによる通常の電力の途絶なのかを判定する。これにより、通常のスイッチによる電源遮断（外部電源遮断）のときは動作を停止し、停電などの非常事態に起因した入力電力の喪失（外部電源喪失）のときは動作を継続する電子機器が提供される。
【図面の簡単な説明】
【０００８】
【図１】屋内配線図の一例を示す図である。
【図２】屋内配線を示す簡略した回路図である。
【図３】電子機器の一例であるＬＥＤ照明装置を示す回路図である。
【図４】回路点Ｐ２における電圧の時間推移を示す図である。
【図５】回路点Ｐ１と電圧源Ｖｃにおける電圧の時間推移を示す図である。
【図６】電子機器の一例であるＬＥＤ照明装置を示す回路図である。
【図７】電子機器への電力供給の制御処理を示したフローチャートである。
【発明を実施するための形態】
【０００９】
＜実施例１＞
以下に、図面を参照して、電子機器の一例としてＬＥＤランプについて説明する。図１は、屋内配線を示す図である。図２は、屋内配線の回路図である。図３は、実施例にかかるＬＥＤ照明装置３の回路図である。
【００１０】
図１によれば、ＬＥＤ照明装置３は、屋内配線１と手動切替スイッチ２を介して商用交流電源などの外部電源に接続されている。屋内配線１には、ＬＥＤ照明装置３とは異なる別の電子機器４（テレビ受像機など）も接続されている。一般に、室内では、複数の電子機器が屋内配線１に接続されている。ＬＥＤ照明装置３は、白熱ランプと同様に、部屋の天井、壁などに取り付けられているソケットに接続することにより、据付型の照明用ランプとして用いられてもよい。
【００１１】
図２によれば、ＬＥＤ照明装置３、電子機器４、屋内配線の１の一部および手動切替スイッチ２は回路を形成していることがわかる。手動切替スイッチ２が開放されれば閉回路が開放され、手動切替スイッチ２が短絡されれば閉回路が形成される。とりわけ、点でンなどの非常事態に起因して外部電源からの電力が喪失されたときには、手動切替スイッチ２が短絡されているため、この閉回路が維持される。
【００１２】
図３が示すように、手動切替スイッチ２は、外部電源２０とＬＥＤ照明装置３との間に接続されているスイッチである。手動切替スイッチ２は、外部電源２０からの電力をＬＥＤ照明装置３に供給したり（短絡状態）、当該電力の供給を遮断したりする（開放状態）。手動切替スイッチ２は、操作者の操作によって切り替えられることを想定しているが、タイマー回路などによって自動的に開放されるスイッチであってもよい。手動切替スイッチ２は、家屋の壁などに取り付けられていてもよいし、ＬＥＤ照明装置３に内蔵されていてもよい。とりわけ、実施例では、手動切替スイッチ２の入力端子間が開放されているか、短絡されているかに基づいて、ＬＥＤ照明装置３への電力の供給が停止した原因（外部電源遮断なのか、外部電源喪失なのか）を判別する。なお、手動切替スイッチ２の入力端子間の開放／短絡に限定されず、入力回路の操作に基づいて、ＬＥＤ照明装置３への電力の供給が停止した原因を判別してもよい。入力回路の操作とは、たとえば、屋内配線１を介した電源ＯＦＦ信号の受信、リモートコントローラから送信された電源ＯＦＦ信号の受信、ＬＥＤ照明装置３にセンサを設け家屋の輝度／人物検知に応じた電源ＯＦＦ信号の受信などである。
【００１３】
図３が示すように、ＬＥＤ照明装置３は、ＬＥＤ部３０と、ＬＥＤ部３０に電力を供給してＬＥＤ部３０を駆動する制御回路３１を備えている。制御回路３１は、さらに複数の回路から構成されている。一次側回路５は、外部電源２０から供給された交流電流、たとえば１００ボルトの交流をブリッジダイオードＤ１（整流回路）で整流し、コンデンサＣ１で平滑して、直流電流を生成する。さらに、電源制御回路５１によりトランスＴを介して直流電圧を降圧する。このように一次側回路５は、外部電源２０から供給された交流電圧を直流電圧に変換する電圧変換回路として機能する。
【００１４】
ダイオードＤ１１のアノード端子はトランスＴの２次側出力端子に接続され、カソード端子はコンデンサＣ１０の一端に接続されている。これにより電源制御回路５１によりトランスＴを介した電力波形を整流および平滑化してＬＥＤ照明用の電圧を供給している。充電・切替回路６は、並列に接続されたダイオードＤ１２およびダイオードＤ１３を備えている。ダイオードＤ１２のアノード端子はコンデンサＣ１０の一端に接続され、カソード端子はＬＥＤ部３０に接続されている。ダイオードＤ１３のアノード端子はコンデンサＣ１０の一端に接続され、カソード端子は２次電池１１の入力端に接続されている。２次電池１１はダイオードＤ１３経由で電力を供給されている場合には充電され、停電時には外部電源２０の代替電源として機能する。
【００１５】
２次電池１１の出力端は、スイッチ素子として機能する電界効果トランジスタ（ＦＥＴ１２）の電流流入端子に接続されている。ＦＥＴ１２の電流流出端子にはＬＥＤ部３０が接続されている。ＦＥＴ１２の制御端子と電流流入端子間には抵抗Ｒ１が接続され、制御端子の誤動作を防止している。２次電池１１からＬＥＤ部３０に電力を供給するかどうかは、ＦＥＴ１２によって制御される。
【００１６】
ＦＥＴ１２に代えて、リレー、トランジスタなど、他のスイッチ素子が採用されてもよい。
【００１７】
このように充電・切替回路６は、外部電源２０から一次側回路５、トランスＴ、ダイオードＤ１１を介して電力を供給する第１のルート（ダイオードＤ１２経由）と、電力を一旦２次電池１１に充電した後、非常時に供給する第２のルート（ダイオードＤ１３経由）を備えている。
【００１８】
本実施例では、手動切替スイッチ２を短絡した際には、一次側回路５、トランスＴ、ダイオードＤ１１および充電・切替回路６を経由してＬＥＤ部３０が点灯し、手動切替スイッチ２を開放した際にはＦＥＴ１２はＯＦＦのままで、ＬＥＤ部３０が消灯するように動作する。次に手動切替スイッチ２を短絡してＬＥＤ部３０が点灯している状態で、停電になった際には自動的にＦＥＴ１２がＯＮとなり、２次電池によりＬＥＤ部３０の点灯を維持するように動作する。
【００１９】
判定回路７は、外部電源２０から供給される電力の喪失（停電）と、外部電源２０とＬＥＤ照明装置３との間に設けられた手動切替スイッチ２による電力の供給の遮断（外部電源遮断）とのどちらが発生したかを判定する。
【００２０】
本実施例では、ダイオードやトランジスタ等を使ったアナログ回路を用いた例を示しているが、フリップフロップ等の汎用ロジック素子を用いて構成しても良い。
【００２１】
ダイオードＤ２のアノード端子は、外部電源２０に接続されており、カソード端子はコンデンサＣ９の＋端子に接続されている。コンデンサＣ９の−端子は、手動切替スイッチ２の電子機器側に接続されている。また、ダイオードＤ２と並列に抵抗Ｒ２が接続されている。また、ダイオードＤ２には、抵抗Ｒ３およびフォトカプラＰ８のＬＥＤとの直列回路（充放電回路）が接続されている。
【００２２】
手動切替スイッチ２が短絡し、外部電源２０からＬＥＤ照明装置３に電力が供給されているときは、フォトカプラＰ８のＬＥＤが半波状態で点灯し、フォトカプラＰ８の出力側フォトトランジスタに電流が流れる。
【００２３】
手動切替スイッチ２が短絡したままで停電状態になったときには、外部電源２０に接続した他の外部負荷を介してコンデンサＣ９が放電され、放電電流によりフォトカプラＰ８のＬＥＤが点灯し、フォトカプラＰ８の出力側フォトトランジスタに電流が流れる。
【００２４】
フォトカプラＰ８の出力側フォトトランジスタのコレクタ端子には、ダイオードＤ３のカソード端子とダイオードＤ４のカソード端子とが接続されている。ダイオードＤ３のアノード端子は、電圧源Ｖｂに接続されている。電圧源Ｖｂは、２次電池１１の出力端電圧である。ダイオードＤ４のアノード端子は、電圧源Ｖｃに接続されている。電圧源Ｖｃは、コンデンサＣ１０の印加電圧であり、トランスＴの２次側出力を整流平滑して得られた電圧でもある。つまり、フォトカプラＰ８の出力側フォトトランジスタは、電圧源Ｖｂ（２次電池１１）と電圧源Ｖｃ（外部電源２０が動作しているときに電圧を供給する電圧源）との双方が同時に停止しない限り、機能することになる。
【００２５】
フォトカプラＰ８の出力側フォトトランジスタのエミッタ端子は、コンデンサＣ２の一端と、抵抗Ｒ６、Ｒ５、Ｒ４、の一端に接続されている。なお、フォトカプラＰ８の出力側フォトトランジスタのエミッタ端子を回路点Ｐ１と称し、その電位をＶｐ１と呼ぶことにする。
【００２６】
なお、フォトカプラＰ８のＬＥＤは、外部電源２０から電力を供給されているときに点灯するとともに停電の初期にも点灯する。フォトカプラＰ８のＬＥＤが停電の初期に点灯するのは、コンデンサＣ９に蓄電された電荷が、図２に示した閉回路によって放電する際に、フォトカプラＰ８のＬＥＤに電力が供給されるからである。
【００２７】
なお、手動切替スイッチ２が開放されると、図２に示した閉回路が開放されるため、放電回路が形成されず、フォトカプラＰ８のＬＥＤは即座に消灯する。
【００２８】
回路点Ｐ１は抵抗Ｒ４を介して接地されており、フォトカプラＰ８がＯＦＦした際に回路点Ｐ１の電圧を速やかに落す。また、回路点Ｐ１は抵抗Ｒ５およびダイオードＤ７を経由し、トランジスタＴｒ１６のベース端子に接続する。またトランジスタＴｒ１６のベース端子はダイオードＤ８のアノード端子に接続し、ダイオードＤ８のカソード端子は電圧源Ｖｃに接続されている。また、回路点Ｐ１は抵抗Ｒ６、ダイオードＤ６、Ｄ５を経由して、ダイオードＤ５のカソード端子である回路点Ｐ２に接続されている。ここで回路点Ｐ２の電位をＶｐ２とする。
【００２９】
回路点Ｐ２には、ＦＥＴ１２を制御するトランジスタＴｒ１３のベース端子が接続されている。トランジスタＴｒ１３のエミッタ端子は接地されている。トランジスタＴｒ１３のコレクタ端子は、抵抗Ｒ８を介して、ＦＥＴ１２の制御端子に接続されている。また、回路点Ｐ２はトランジスタＴｒ１６のコレクタ端子に接続している。トランジスタＴｒ１６のエミッタ端子は接地されている。また、回路点Ｐ２は抵抗Ｒ７を介してトランジスタＴｒ１４のコレクタ端子に接続している。トランジスタＴｒ１４のエミッタ端子は電圧源Ｖａ（ＬＥＤ出力電源）に接続している。トランジスタＴｒ１４のベース端子は抵抗Ｒ９を介してトランジスタＴｒ１３のコレクタ端子と抵抗Ｒ８を介してＦＥＴ１２の制御端子（ゲート端子）に接続されている。
【００３０】
外部電源２０から電力が供給されると、一次側回路５が起動し、トランスＴ、ダイオードＤ１１を介して電圧源Ｖｃに電力を供給すると同時に、フォトカプラＰ８のＬＥＤ側にも電力が供給され、フォトカプラＰ８の出力側フォトトランジスタのエミッタ端子の回路点Ｐ１の電圧が上昇する。回路点Ｐ１の電圧が上昇すると、抵抗Ｒ５およびダイオードＤ７を介してトランジスタＴｒ１６のベース端子に電圧が供給される。これより、回路点Ｐ２の電圧は接地レベルに低下する。その後、抵抗Ｒ８、ダイオードＤ６、Ｄ５を介してトランジスタＴｒ１３のベース端子に電圧が印加されるが、先にトランジスタＴｒ１６がＯＮしているので、回路点Ｐ２の電圧は上昇しない。よってトランジスタＴｒ１３はＯＦＦ状態に維持されるため、ＦＥＴ１２もＯＦＦ状態になる。よって、２次電池１１からＬＥＤ部３０への電力供給は行われず、一次側回路５からのみＬＥＤ部３０への電力供給を行う。
【００３１】
外部電源２０から電力が手動切替スイッチ２を開放して電力供給が遮断されると、フォトカプラＰ８のＬＥＤ側の電力も速やかに遮断され、フォトカプラＰ８の出力側フォトトランジスタのエミッタ端子の回路点Ｐ１の電圧が降下する。この時、一次側回路５側は、コンデンサＣ１に蓄えた電荷を使いながら、ゆっくりと供給電力を低下させるため、電圧源Ｖｃの電圧降下は緩やかになる。
【００３２】
回路点Ｐ１の電圧が降下すると、抵抗Ｒ８、ダイオードＤ６、Ｄ５を介しての回路点Ｐ２への電圧供給が低下した後、抵抗Ｒ５およびダイオードＤ７を介してトランジスタＴｒ１６のベース電圧が低下する。よって、回路点Ｐ２の電圧は手動切替スイッチ２を開放する際に上昇することはない。
【００３３】
図４（Ａ）は、手動切替スイッチ２が開放状態になったときの回路点Ｐ２における電圧Ｖｐ２の時間推移を示している。図４（Ａ）が示すように、回路点Ｐ２の電圧Ｖｐ２は常にゼロである。よって、手動切替スイッチ２が開放状態になったときは、ＦＥＴ１２がＯＦＦに維持されるため、２次電池１１からＬＥＤ部３０へ電力が供給されないことが判る。
【００３４】
ダイオードＤ８のカソード端子は電圧源Ｖｃに接続されている。これにより電圧源Ｖｃの電圧が落ちたときには、回路点Ｐ１の電圧が印加状態でもトランジスタＴｒ１６のベース端子への電圧が供給されず、トランジスタＴｒ１６がＯＦＦ状態になる。
【００３５】
外部電源２０から電力が手動切替スイッチ２が短絡のままで停電すると、フォトカプラＰ８のＬＥＤ側の電力はコンデンサＣ９の放電電流として供給され、緩やかに低下する。そのため、フォトカプラＰ８の出力側フォトトランジスタのエミッタ端子の回路点Ｐ１の電圧降下が遅くなる。この時、一次側回路５側は、コンデンサＣ１に蓄えた電荷を使いながら、供給電力を低下させるが、電圧源Ｖｃの電圧降下は回路点Ｐ１の電圧に比べて早く降下する。
【００３６】
電圧源Ｖｃが先に落ちトランジスタＴｒ１６がＯＦＦ状態になった状態において、回路点Ｐ１に電圧が印加されている場合には、抵抗Ｒ６、ダイオードＤ５、Ｄ６を介して回路点Ｐ２に電圧が印加される。
【００３７】
回路点Ｐ２に電圧が印加されると、トランジスタＴｒ１３がＯＮし、トランジスタＴｒ１３のコレクタ端子が接地レベルになることで抵抗Ｒ８を介してＦＥＴ１２のゲート端子をＯＮする。またトランジスタＴｒ１３のコレクタ端子が接地レベルになることで抵抗Ｒ９を介してトランジスタＴｒ１４のベース電圧に電圧が印加され、トランジスタＴｒ１４がＯＮする。トランジスタＴｒ１４がＯＮすることで電圧源ＶａからトランジスタＴｒ１４および抵抗Ｒ７を介して回路点Ｐ２に電圧が供給され、以降、回路点Ｐ１からの電圧供給がなくても、トランジスタＴｒ１３のＯＮ状態を保持できる。
【００３８】
図４（Ｂ）は、外部電源２０から電力が手動切替スイッチ２が短絡のままで停電などにより喪失した際の回路点Ｐ２における電圧Ｖｐ２の時間推移を示している。図４（Ｂ）に示した電圧降下時間Ｔｃが経過した以降においては、上述した回路動作によって、電圧Ｖｐ２がハイに維持されることがわかる。よってトランジスタＴｒ１３はＯＮ状態を保持し、ＦＥＴ１２もＯＮ状態になることで、２次電池１１からＬＥＤ部３０への電力供給を継続して行う。すなわち、停電状態では、２次電池１１からＬＥＤ部３０への電力供給を行うことになる。
【００３９】
図５は前述の回路点Ｐ１の正常操作時と停電時の電圧変化を示した図である。図５（Ａ）は、手動切替スイッチ２によって外部電源２０からの電力が遮断されたときの回路点Ｐ１における電圧Ｖｐ１の時間推移を示している。つまり、手動切替スイッチ２が開放になった状態である。図５（Ｂ）は、手動切替スイッチ２が短絡した状態で停電などによって電力が喪失したときの回路点Ｐ１における電圧Ｖｐ１の時間推移を示している。図５（Ｃ）は、電圧源Ｖｃの電圧の変化を示す図である。
【００４０】
図５（Ａ）では、手動切替スイッチ２が開放状態のため、判定回路７のコンデンサＣ９に溜まった電荷は移動できなくなり、フォトカプラＰ８のＬＥＤは即座に消灯する。これにより回路点Ｐ１における電圧Ｖｐ１の降下は即座に起こる。ここでは、電力の遮断が発生してから電圧Ｖｐ１がゼロボルトに降下するのに要する時間（電圧降下時間）をＴ１とする。
【００４１】
図５（Ｂ）では、停電が発生したときには手動切替スイッチ２が短絡しているため、判定回路７のコンデンサＣ９に溜まった電荷は図２に示した閉回路内を移動する。これにより停電の初期においてフォトカプラＰ８のＬＥＤは点灯し続け、回路点Ｐ１における電圧Ｖｐ１の降下は即座に起こらない。ここでは、停電による電力の遮断が発生してから電圧Ｖｐ１がゼロボルトに降下するのに要する時間（電圧降下時間）をＴ２とする。
【００４２】
図５（Ｃ）が示すように、電圧源Ｖｃの電圧は、電力の遮断原因が手動切替スイッチ２によるものなのか、停電によるものなのかにかかわらず、一定の時間Ｔｃで電圧が降下する。ここでは、電力の遮断が発生してから電圧源Ｖｃの電圧がゼロボルトに降下するのに要する時間（電圧降下時間）をＴｃとする。
【００４３】
図５（Ａ）ないし図５（Ｃ）から、整流ダイオードの交流側に配した第１のコンデンサであるコンデンサＣ９に流れる電流の状態を反映するＶｐ１の電圧降下時間と、電圧源Ｖｃの電圧降下時間を比較することで、判定回路７は外部電源２０から供給される電力の喪失が発生したのか、それとも手動切替スイッチ２による電力の供給の遮断が発生したのかを判定できる。つまり、判定回路７は、電力の供給が遮断した時、整流回路の整流後の電圧が維持される時間よりも、スイッチが短絡状態で外部電源から供給される電力の喪失が発生した時の整流回路の交流側にある充放電回路の放電時間が長くなる現象を利用して、外部電源から供給される電力の喪失が発生したのか、それともスイッチによる電力の供給の遮断が発生したのかを判定する。
【００４４】
コンデンサＣ９と整流回路の平滑側に設けられた第２のコンデンサであるコンデンサＣ１の各容量は、負荷の状態や放電抵抗を考慮して、Ｔ１＜Ｔｃ＜Ｔ２となるように設定される。つまり、コンデンサＣ９の容量とコンデンサＣ１の容量は、手動切替スイッチ２が短絡した状態で、外部電源から供給される電力の喪失が発生したときのコンデンサＣ９の放電時間が、コンデンサＣ１の放電時間より長くなるように、設定される。この関係を満たすようにコンデンサＣ９とコンデンサＣ１の各容量を設定することで、停電が発生したときはＦＥＴ１２がＯＮになり２次電池１１から電力がＬＥＤ部３０に供給され、手動切替スイッチ２が開放状態になったときはＦＥＴ１２がＯＦＦに維持される。つまり、停電時（非常時）にのみＬＥＤ部３０の点灯が保持されるようになる。なお、コンデンサＣ９とコンデンサＣ１は判定回路７の一部と考えてよい。
【００４５】
２次電池１１は、充電式の電源である。外部電源２０がアクティブであれば、充電・切替回路６は、一次側回路５から供給される直流電流によって２次電池１１を図示せぬ充電回路により充電し、常に満充電状態を維持する。
【００４６】
本実施例によれば、外部電源から供給される電力の喪失が発生したときの電圧変化の推移と、スイッチによる電力の供給の遮断が発生したときの電圧変化の推移が異なることに着目し、停電による電力の途絶なのか、スイッチによる通常の電力の途絶なのかを判定できる。これにより、通常のスイッチによる電源遮断（外部電源遮断）のときは動作を停止し、停電などの非常事態に起因した入力電力の喪失（外部電源喪失）のときは動作を継続する電子機器が提供される。
【００４７】
具体的に、判定回路７は、電力の供給が遮断した時、整流回路の整流後の電圧が維持される時間よりも、スイッチが短絡状態で外部電源から供給される電力の喪失が発生した時の整流回路の交流側にある充放電回路の放電時間が長くなる現象を利用して、外部電源から供給される電力の喪失が発生したのか、それともスイッチによる電力の供給の遮断が発生したのかを判定する。
【００４８】
例えば、判定回路７に、整流回路の交流側に設けられたコンデンサＣ９と、整流回路の平滑側に設けられたコンデンサＣ１とを設ける。さらに、コンデンサＣ９、Ｃ１の容量を、スイッチが短絡した状態で、外部電源から供給される電力の喪失が発生したときのコンデンサＣ９の放電時間が、コンデンサＣ１の放電時間より長くなるように、設定しておく。これにより、判定回路７は、外部電源から供給される電力の喪失が発生したのか、それともスイッチによる電力の供給の遮断が発生したのかを判定できる。
【００４９】
＜実施例２＞
実施例１では、判定回路７としてアナログ回路を用いているが、ＣＰＵ（論理回路やＡＳＩＣ）などの処理装置が使用されてもよい。そこで、実施例２では、ＣＰＵによって、判定回路７の一部を構成する例について説明する。
【００５０】
図６は、実施例２にかかるＬＥＤランプを示す回路図である。図３と図６とを比較するとわかるように、判定回路７の一部がＣＰＵ６０によって置き換わっている。なお、図６において図３と共通する箇所については同一の参照符号を付与することで説明の簡潔化を図る。
【００５１】
ＣＰＵ６０は、回路点Ｐ１の電圧Ｖｐ１と電圧源Ｖｃの電圧とを取り込んで、両者を監視する。そして、ＣＰＵ６０は、外部電源２０から供給されていた電力の喪失と、外部電源２０と電子機器であるＬＥＤ照明装置３との間に設けられた手動切替スイッチ２による電力の供給の遮断とを、両者の電圧変化の推移の違いに基づいて判定する。なお、ハイかローかの２値レベルで電圧源Ｖｃの電圧を取り込めるようにするために、抵抗Ｒ６１と抵抗Ｒ６２とで電圧源Ｖｃの電圧を分圧している。ＣＰＵ６０は、停電による電力の遮断を検出すると、ＦＥＴ１２の制御端子に制御信号を印加して、ＦＥＴ１２をＯＮに切り替える。一方で、停電による電力の遮断を検出していないときは、ＦＥＴ１２の制御端子に制御信号を印加せずに、ＦＥＴ１２をＯＦＦに維持する。なお、ＣＰＵ６０の動作電源は、少なくとも停電時には確保できるように設計されているものとする。たとえば、ＣＰＵ６０は、通常時は外部電源２０から電力を供給され、非常時は２次電池１１から電力を供給される。
【００５２】
ところで、２次電池１１の蓄電容量が小さい場合、停電から外部電源２０が復旧するまでに２次電池１１に蓄電されている電荷をＬＥＤ部３０がすべて消費しきってしまうことが予想される。とりわけ、外部電源２０から電力を供給しているときと同じ照度で２次電池１１からの電力でＬＥＤ部３０を点灯させようとすると、２次電池１１がすぐに放電されてしまうだろう。そこで、ＣＰＵ６０は、ＬＥＤ部３０に内蔵されているドライバ回路（図示略）に照度を低下させる制御信号を送出してもよい。これにより、停電時にはＬＥＤ部３０の発光量が低下するものの、ＬＥＤ部３０の点灯時間を長くすることができる。このように、代替電源から電子機器に電力を供給するときは、外部電源２０から電子機器に電力を供給するときと比較して、消費電力が小さくなるように、電子機器の消費電力を低下させる消費電力調整手段としてＣＰＵ６０は機能してもよい。
【００５３】
図７は、ＣＰＵにより実行される制御処理を示したフローチャートである。Ｓ７０１で、ＣＰＵ６０は、電圧源Ｖｃからの電圧レベルを測定し、測定された電圧のレベルがローレベルかどうかを判定する。ローレベルでなければＳ７０１に戻り、ローレベルであればＳ７０２に進む。
【００５４】
Ｓ７０２で、ＣＰＵ６０は、回路点Ｐ１の電圧Ｖｐ１を測定し、電圧Ｖｐ１のレベルがハイレベルかどうかを判定する。電圧源Ｖｃからの電圧レベルがローレベルで、かつ、電圧Ｖｐ１がハイレベルであれば、停電の発生を意味している。よって、電圧Ｖｐ１がハイレベルであれば、Ｓ７０３に進む。なお、電圧源Ｖｃからの電圧レベルがローレベルで、かつ、電圧Ｖｐ１もローレベルであれば、手動切替スイッチ２の開放を意味している。そのため、ＦＥＴ１２をＯＦＦに維持するために、本フローチャートにかかる処理を終了する。
【００５５】
Ｓ７０３で、ＣＰＵ６０は、ＦＥＴ１２をＯＮに切りかえる制御信号（切り替え信号）をＦＥＴ１２の制御端子に送信する。
【００５６】
このように、実施例２でも実施例１と同様の効果を奏することができる。
【００５７】
＜その他の実施例＞
実施例１、２では、電子機器の一例として、天井や壁などに取り付けられる据付型のＬＥＤランプについて説明した。しかし、本発明は他の電子機器にも適用できる。たとえば、卓上などに載せて使用する電気スタンドのランプとして本発明のＬＥＤランプを採用してもよい。
【００５８】
また、ＬＥＤ部３０に配置されるＬＥＤの数は、１個であってもよいし複数個であってもよい。たとえば、複数のＬＥＤを直列接続したり、さらに、直列接続した複数個のＬＥＤアレイを並列に接続したりしてもよい。また、ＬＥＤとしては、赤色発光、緑色発光および青色発光のＬＥＤを用いることにより、白色光以外のカラー光を発光できる。もちろん、これ以外の発光色のＬＥＤを用いることも可能である。
【００５９】
さらに、照明以外の電子機器に本発明が適用されてもよい。たとえば、送風を行うファンや、換気扇、扇風機などに本発明を適用してもよい。その他、屋内配線に接続されている電気機器すべてに対して本発明を用いることも可能である。
【００６０】
実施例１、２では、手動切替スイッチ２を用いて回路の開放・短絡を切り替えているが、屋内配線１のいずれかに抵抗を接続することで微弱電流を流し、抵抗を流れる電流の強度で、停電の発生の有無を判定してもよい。
【図１】
2013125709.tif 000003
【図２】
2013125709.tif 000004
【図３】
2013125709.tif 000005
【図４】
2013125709.tif 000006
【図５】
2013125709.tif 000007
【図６】
2013125709.tif 000008
【図７】
2013125709.tif 000009